(57)【要約】【課題】水平材に堅固に保持することができ取扱いが容易な仮設足場用幅木を提供する。【解決手段】本発明の仮設足場用幅木は、並設された複数の水平材９２の間に取付けられる幅木であって、所定方向に延びた断面視Ｌ字状の幅木本体１０と、幅木本体１０の長手方向の一端部にばね部材２７の付勢力によって幅木本体１０の長手方向に進退自在に支持され、水平材９２に係止される係止部材２０と、水平材９２に係止された係止部材２０の移動を規制するロック部材３０とを備える。【選択図】図２
2012036712.tif 000002
【特許請求の範囲】
【請求項１】
並設された複数の水平材の間に取付けられる仮設足場用幅木であって、
所定方向に延びた断面視Ｌ字状の幅木本体と、
前記幅木本体の長手方向の少なくとも一端部に弾性部材の付勢力によって前記幅木本体の長手方向に進退自在に支持され、前記いずれかの水平材に係止される係止部材と、
前記水平材に係止された前記係止部材の移動を規制するロック部材と、
を備えることを特徴とする、仮設足場用幅木。
【請求項２】
前記係止部材は、上側面に凹部が形成されており、
前記ロック部材は、その一部が前記凹部に係合することにより、前記係止部材の移動を規制する、請求項１に記載の仮設足場用幅木。
【請求項３】
前記幅木本体は、上下方向に延びた垂直面部と、前記垂直面部に対して直交方向に延びた水平面部とを有し、
前記ロック部材は、前記垂直面部の端部に沿って上下方向に移動自在に支持される、請求項１または２に記載の仮設足場用幅木。
【請求項４】
前記垂直面部の下端には、長手方向に沿って延びた中空状のボックス部が形成されており、
前記弾性部材は、前記係止部材に形成された長孔に嵌装されており、
前記係止部材は、前記ボックス部の中空部分に挿通されている、請求項１ないし３のいずれかに記載の仮設足場用幅木。
【請求項５】
前記幅木本体の他端部には、他の水平材によって支持される一対の支持部材が設けられている、請求項１ないし４のいずれかに記載の仮設足場用幅木。
【請求項６】
前記幅木本体は、アルミニウム合金製である、請求項１ないし５のいずれかに記載の仮設足場用幅木。
【発明の詳細な説明】
【技術分野】
【０００１】  本発明は、例えば建築現場等で組み立てられる仮設足場において、それに用いられる幅木に関するものである。
【背景技術】
【０００２】  従来、建築現場において組み立てられる仮設足場としては、例えば枠組み足場やくさび緊結式足場が知られている。これらの仮設足場では、並設された一組の水平材間に足場板が敷設され、その足場板上において作業者によって各種の作業が行われる。足場板の周囲は空間部分が多いため、作業者が足を踏み外したり足場板から施工用部品や工具類等が落下したりする可能性がある。そこで、それを防止するために、例えば２本の脚柱（又は支柱）間に仮設足場用幅木（以下、単に「幅木」という。）を設置することが提案されている。【０００３】  従来の幅木としては、枠組足場の脚柱間に起立状態で配置させるＩ型のものが知られている（例えば特許文献１参照）。しかしながら、このＩ型の幅木は、脚柱間に配置されるため、例えば足場板の横架材に対する敷設位置によっては、幅木と足場板との間に隙間が生じ、その隙間から施工用部品等が落下するおそれがある。【０００４】  そこで、幅木と足場板との間に生じる隙間を塞ぐために、垂直板と水平板とが一体的に形成されたＬ型の幅木が提案されている（例えば特許文献２参照）。特許文献２に記載のＬ型幅木は、くさび緊結式足場に取り付けられるものであるが、この幅木は、垂直板の両端に設けられた取付け金具を用いてくさび緊結式足場の支柱間に起立状態で配置させ、水平板を足場板の上に重ねるものである。この幅木によれば、水平板によって幅木と足場板の間に生じる隙間を塞ぐことができる。なお、Ｌ型幅木を枠組足場に取り付けようとする場合には、脚柱間に配置されることになる。
【先行技術文献】
【特許文献】
【０００５】
【特許文献１】特開２００３−１２９６５５号公報
【特許文献２】特開２００４−１５６３９６号公報
【発明の概要】
【発明が解決しようとする課題】
【０００６】  ところで、くさび緊結式足場の支柱や枠組足場の脚柱には、例えば壁つなぎ、アサガオ及び梁枠の隅梁受け等といった建築部材が取り付けられる場合が多い。上記のＬ型幅木は、垂直板の両端の取付け金具を用いて支柱または脚柱間に配置されるものであるので、支柱や脚柱に上記建築部材が取り付けられるとこれらが邪魔になり、このＬ型幅木を取り付けることができないといった問題点があった。【０００７】  また、上記Ｌ型の幅木は、例えばスチール製であるため、幅木の長さが長くなるほどそれだけ重量が増し、支柱または脚柱に対して取付けたり取外したりするときの取扱いが困難になる。そのため、作業性が悪くなるといった欠点があった。【０００８】  本発明は、上記した事情のもとで考え出されたものであって、脚柱や支柱ではなく水平材（枠組足場の横架材又はくさび緊結式足場のブラケット若しくは手摺）に対して堅固に保持することができかつ取扱いが容易な仮設足場用幅木を提供することを、その課題とする。
【課題を解決するための手段】
【０００９】  本発明によって提供される仮設足場用幅木は、並設された複数の水平材の間に取付けられる仮設足場用幅木であって、所定方向に延びた断面視Ｌ字状の幅木本体と、前記幅木本体の長手方向の少なくとも一端部に弾性部材の付勢力によって前記幅木本体の長手方向に進退自在に支持され、前記いずれかの水平材に係止される係止部材と、前記水平材に係止された前記係止部材の移動を規制するロック部材と、を備えることを特徴としている。【００１０】  本発明の仮設足場用幅木においては、前記係止部材は、上側面に凹部が形成されており、前記ロック部材は、その一部が前記凹部に係合することにより、前記係止部材の移動を規制するとよい。【００１１】  本発明の仮設足場用幅木においては、前記幅木本体は、上下方向に延びた垂直面部と、前記垂直面部に対して直交方向に延びた水平面部とを有し、前記ロック部材は、前記垂直面部の端部に沿って上下方向に移動自在に支持されるとよい。【００１２】  本発明の仮設足場用幅木においては、前記垂直面部の下端には、長手方向に沿って延びた中空状のボックス部が形成されており、前記弾性部材は、前記係止部材に形成された長孔に嵌装されており、前記係止部材は、前記ボックス部の中空部分に挿通されているとよい。【００１３】  本発明の仮設足場用幅木においては、前記幅木本体の他端部には、他の水平材によって支持される一対の支持部材が設けられているとよい。【００１４】  本発明の仮設足場用幅木においては、前記幅木本体は、アルミニウム合金製であるとよい。
【発明の効果】
【００１５】  本発明の仮設足場用幅木によると、幅木本体が弾性部材によって外側に進出するように付勢された係止部材によって水平材に保持されるとともに、係止部材が外側に進出することをロック部材によって規制されるので、幅木本体をより一層堅固に水平材に対して保持することができる。
【図面の簡単な説明】
【００１６】
【図１】本発明の仮設足場用幅木の斜視図である。
【図２】仮設足場用幅木を示し、（ａ）は仮設足場に取り付けた状態の平面図であり、（ｂ）は仮設足場に取り付けた状態の正面図である。
【図３】仮設足場用幅木の分解部分斜視図である。
【図４】仮設足場用幅木の分解部分斜視図である。
【図５】仮設足場用幅木の水平材に対する取付手順を示す図である。
【図６】仮設足場用幅木の水平材に対する取付手順を示す図である。
【図７】仮設足場用幅木の水平材に対する取付手順を示す図である。
【図８】仮設足場用幅木の水平材に対する取付手順を示す図である。
【発明を実施するための形態】
【００１７】  以下、本発明の実施の形態につき、図面を参照して具体的に説明する。
【００１８】  図１は、本発明の仮設足場用幅木１（以下、単に「幅木１」という。）の斜視図を示し、図２（ａ）は仮設足場に取り付けた状態の平面図であり、図２（ｂ）は仮設足場に取り付けた状熊の正面図である。図３及び図４は、幅木１の分解部分斜視図である。なお、図１は、図示しない水平材に取り付けられた状態を示している。また、図２では、ボルト類を省略している。
【００１９】  本発明に係る幅木１は、建築現場等の仮設足場に用いられ、例えば作業者が足場板９０（図２参照）から足を踏み外したり足場板９０と脚柱９１との間の隙間から施工用部品や工具類等が落下したりするのを防止するためのものである。幅木１は、図１に示すように、幅木本体１０と、係止部材２０と、ロック部材３０と、一組の支持部材４０とによって概略構成されている。
【００２０】  幅木本体１０は、アルミニウム合金製であって、所定方向に延びかつ所定長さ（例えば１８００ｍｍ）を有している。幅木本体１０は、断面視Ｌ字状に形成され、垂直面部１１とこれに対して略直交方向に延びた水平面部１２とによって構成されている。上記のように、幅木本体１０はアルミニウム合金製であるので、比較的軽量である。本幅木１では、例えば長さ１８００ｍｍのサイズで他の部材を加えた全体重量が約３．６ｋｇであり、同サイズのスチール製の幅木に比べ、大幅に軽量化されている。したがって、この幅木１を運搬したり仮設足場に取付けたりあるいは取外したりする際の取扱いが極めて容易である。
【００２１】  垂直面部１１の裏面（水平面部１２が延びた面と反対側の面）上端には、図３に示すように、長手方向に延びた第１ボックス部１３が形成されている。第１ボックス部１３は中空状であり、その両端が開口されている。第１ボックス部１３の背面側下端には、長手方向に延びた突条１３ａが形成されている（図３の丸円Ｓ１内参照）。この構成により、作業者が幅木本体１０を持ち運ぶ際に、第１ボックス部１３の下面に指を添えることによって持ち易くなり、突条１３ａによってすべりにくいといった利点がある。
【００２２】  垂直面部１１の裏面下端には、長手方向に延びた第２ボックス部１４が形成されている。第２ボックス部１４は、係止部材２０を収容するとともに内部で進退移動させるためのものである。第２ボックス部１４は、第１ボックス部１３と同様に、中空状でありその両端が開口されている。
【００２３】  第２ボックス部１４の内側の天井面及び底面には、長手方向に延びた案内片１４ａ，１４ｂがそれぞれ形成されている（図３の丸円Ｓ２内参照）。これら案内片１４ａ，１４ｂは、係止部材２０が第２ボックス部１４内で移動する際に係止部材２０を案内するために用いられる。また、第２ボックス部１４の底面には、案内片１４ｂに沿って切欠き１５が形成されている。切欠き１５は、係止部材２０のフック部２２（後述）が幅木本体１０側に進入したとき（図１及び図２参照）、フック部２２が幅木本体１０に衝突しないようにしたものである。
【００２４】  第１ボックス部１３及び第２ボックス部１４は、上記した機能を有するとともに、幅木本体１０を補強する機能をも有する。すなわち、幅木本体１０は、アルミニウム合金製であるため、垂直面部１１と水平面部１２とが互いに広がり易いものであるが、両ボックス部１３，１４によりそれを抑制することができる。また、幅木１の運搬時や使用時等に外力が加わって幅木本体１０が変形することがあるが、両ボックス部１３，１４によりそれを抑制することができる。
【００２５】  なお、幅木本体１０が例えばスチール製である場合には、第１ボックス部１３及び第２ボックス部１４を形成するには折り曲げ加工等を施さなければならず製作が困難である。ところが、本実施形態では幅木本体１０はアルミニウム合金によって形成されているため、例えば押し出し加工によって第１ボックス部１３及び第２ボックス部１４を容易に形成することができる。
【００２６】  水平面部１２の上面には、長手方向に延びた複数のリブ１６が形成されている。リブ１６は、幅木本体１０がその長手方向に撓むことを抑制するとともに、作業者が水平面部１２上を歩行する際のすべり止めとして機能するものである。また、リブ１６は、第１ボックス部１３及び第２ボックス部１４同様、水平面部１２が外力により変形することを抑制する機能を有する。水平面部１２の左端基部には、所定幅を有する補強片１７が水平面部１２と面一上に形成されている。補強片１７は、垂直面部１１と水平面部１２との広がりを抑制するためのものである。
【００２７】  係止部材２０は、スチール製であって、所定の付勢力を仮設足場を構成する水平材９２（図２参照）に与えるとともに水平材９２に係止することにより、幅木本体１０を水平材９２に対して堅固に係止保持させるためのものである。係止部材２０は、図３に示すように、長尺部２１とその先端に設けられた円弧状のフック部２２とで構成されている。長尺部２１には、直線上に第１長孔２３及び第２長孔２４が形成されている。第１長孔２３の両端は、半円状に形成されている。第２長孔２４の一端は矩形状に形成される一方、他端は半円状に形成されている。
【００２８】  係止部材２０は、第２ボックス部１４の一方開口から幅木本体１０側に挿入されて収容され、進退自在に支持される。係止部材２０は、第２ボックス部１４に収容される場合、垂直面部１１に形成された挿通孔１１ａ（図３参照）、第１長孔２３及び第２ボックス部１４を貫通するボルト２５、並びに垂直面部１１に形成された挿通孔１１ｂ、第２長孔２４及び第２ボックス部１４を貫通するボルト２６によって支持される。
【００２９】  係止部材２０の第２長孔２４には、伸縮自在なばね部材２７が嵌装される。ばね部材２７は、係止部材２０を水平材９２に係止させるために、係止部材２０を幅木本体１０から外側に付勢させる付勢力を係止部材２０に対し与えるものである。
【００３０】  係止部材２０の先端近傍の上面には、凹部２８が形成されている（図３参照）。凹部２８は、これにロック部材３０の下端が係止されることにより、係止部材２０の進退動作を規制するためのものである。
【００３１】  幅木本体１０の一方端近傍には、ロック部材３０が上下方向に移動自在に支持されている。ロック部材３０は、スチール製であって、上下に延びた長板部３１を有し、長板部３１の中央部分には、上下に２つの長孔３２，３３が形成されている。ロック部材３０は、長孔３２及び垂直面部１１に形成された挿通孔１１ｃを貫通するボルト３４、並びに長孔３３及び垂直面部１１に形成された挿通孔１１ｄを貫通するボルト３５によって支持される（図３参照）。なお、ロック部材３０は、上下移動可能とされるため、ボルト３４，３５にはナット３４ａ，３５ａがそれぞれ緩装されている。
【００３２】  長板部３１には、その側端に沿って延設部３６が形成されている。ロック部材３０が下方向に移動するとき、この延設部３６の下端が上記フック部２２の凹部２８に係合し、係止部材１０の進退方向の動作を規制する。延設部３６は、ロック部材３０が垂直面部１１に取り付けられる際、垂直面部１１の一端面を覆う。そのため、延設部３６は、垂直面部１１の一端面を保護する機能をも有する。すなわち、垂直面部１１の一端面が例えば建枠９１にぶつかって損傷するといったことを防止することができる。
【００３３】  ロック部材３０の上端には、断面視略Ｌ字状に折り曲げ加工された折れ曲げ片３７が形成されている。折れ曲げ片３７は、作業者がロック部材３０を上方向に持ち上げる際に指を引っ掛けて持ち上げ易くするためのものである。
【００３４】  幅木本体１０の他方端には、一対の支持部材４０が固着されている。支持部材４０は、幅木本体１０の表面側に設けられた表側支持部材４１と、幅木本体１０の裏面側に設けられた裏側支持部材４２とによって構成されており、それぞれスチール製である。
【００３５】  表側支持部材４１は、板状部材の先端に略円弧状のフック部４１ａが形成されている。フック部４１ａは、水平材９２に幅木本体１０を支持するためのものである。フック部４１ａの先端内側面には、凸部４１ｂが形成されている。凸部４１ｂは、フック部４１ａと水平材９２との接触箇所を増やして、幅木本体１０を水平材９２に支持し易くするためのものである。また、裏側支持部材４２にも、表側支持部材４１と同様に、フック部４２ａ及び凸部４２ｂが形成されている（図４参照）。
【００３６】  表側支持部材４１には、上下に２つの挿通孔４３，４４が形成され、裏側支持部材４２には、上下に２つの挿通孔（図略）が形成されている。裏側支持部材４２の一方面（垂直面部１１側）には、図略の挿通孔に連通したナット部材４２ｃ，４２ｄが固着されている。
【００３７】  表側支持部材４１及び裏側支持部材４２は、挿通孔４３、垂直面部１１に形成された挿通孔１１ｅ及びナット部材４２ｃを貫通するボルト４５、並びに挿通孔４４、垂直面部１１に形成された挿通孔１１ｆ及びナット部材４２ｄを貫通するボルト４６によって、垂直面部１１に固定されている。すなわち、表側支持部材４１及び裏側支持部材４２は、幅木本体１０の他端近傍において第１ボックス部１３及び第２ボックス部１４を挟み込むようにして、所定の間隔を確保しつつ幅木本体１０に固定されている。
【００３８】  支持部材４０は、上記のように一組とされることで、幅木本体１０を支持する際、水平材９２に対して複数の接点を有することになる。そのため、より堅固にかつ安定して水平材９２に対して幅木本体１０を支持することができる。なお、支持部材４０は、一つあるいは３つ以上の部材で構成されていてもよい。
【００３９】  支持部材４０は、図２（ａ）に示すように、幅木本体１０に固定される際、幅木本体１０の側面より若干突出するようにして取り付けられる。これにより、幅木本体１０の他端面が例えば建枠９１等に接触するようなことがあっても先に建枠９１等と支持部材４０とが接触するので、幅木本体１０の側面を保護することができる。
【００４０】  上記のように、本実施形態の幅木１によれば、枠組足場の脚柱やくさび緊結式足場の支柱等を利用して仮設足場に取り付けられるのではなく、水平材９２（枠組足場の横架材又はくさび緊結式足場のブラケット若しくは手摺）を利用して取り付けられる。そのため、脚柱や支柱に壁つなぎ等の建築部材が取り付けられていても、幅木１を支障なく仮設足場に取り付けることができる。
【００４１】  また、幅木１が水平材９２に取り付けられる際には、係止部材２０が水平材９２に係止されると、ばね部材２７の付勢力を水平材９２に対し与えることができるので、幅木１を水平材９２に堅固に係止保持させることができる。さらに、水平材９２に係止部材２０が一旦係止されると、ロック部材３０によって係止部材２０の進退動作が規制されるので、幅木１をより一層堅固に水平材９２間に保持させることができる。
【００４２】  また、幅木本体１０がアルミニウム合金製であることから、本幅木１を容易に取り扱うことができるので、幅木１の運搬、取付け及び取外しの際の作業性を高めることができる。また、幅木本体１０の端部付近は運搬時等に外部のものとぶつかって損傷し易いが、本実施形態の幅木１は、幅木本体１０の端部付近に係止部材２０、ロック部材３０及び支持部材４０といった、いずれもボルト止めされるものが設けられている。したがって、係止部材２０、ロック部材３０及び支持部材４０が損傷したとしても、容易に交換することが可能である。
【００４３】  次に、本幅木１を水平材９２間に取付ける際の手順について図５ないし図８を参照して説明する。
【００４４】  まず、作業者は、図５に示すように、幅木本体１０を支持部材４０側より係止部材２０側が下向きになるように傾けて、一方の水平材９２に係止部材２０のフック部２２を当接させる。この場合、ロック部材３０は、幅木本体１０の一端面と係止部材２０とを覆っているので、幅木本体１０がロック部材３０に保護されて例えば建枠９１に接触することがなく、幅木本体１０の一端面や係止部材２０は損傷することがない。
【００４５】  次いで、作業者は、一方の水平材９２に係止部材２０のフック部２２が当接された状態で、一方の水平材９２側に向けて押圧力を加える（図６の白矢印Ｐ参照）。これにより、図６に示すように、係止部材２０内のばね部材２７が縮み、係止部材２０は、第２ボックス部１４の内方に進入する（図６の白矢印Ａ参照）。この状態で、作業者は、図示していないが、他方の水平材９２に支持部材４０のフック部４１を嵌め込む。
【００４６】  次に、作業者は、ロック部材３０の折れ曲げ片３７内に指を添え、折れ曲げ片３７を上方に持ち上げると、図７に示すように、ロック部材３０が上方に移動する（白矢印Ｂ参照）。これにより、ロック部材３０の延出部３６が係止部材２０の凹部２８から外れる。したがって、係止部材２０は、ばね部材２７の付勢力により外側に退出する方向に移動する。
【００４７】  このとき、作業者は、ロック部材３０の折れ曲げ片３７から指を離すと、図８に示すように、ロック部材３０は自重で下方に移動する（白矢印Ｃ参照）。そして、ロック部材３０の下端が、退出していた係止部材２０上面の凹部２８に係合する。そのため、係止部材２０の移動が規制される。したがって、係止部材２０は、幅木本体１０に対して進退動作を行えなくなり、これにより、幅木本体１０を水平材９２間に堅固に保持させることができる。上記動作において、ロック部材３０の下端が凹部２８に係合するとき、ロック部材３０は自重で下方に移動するので、作業者はロック部材３０に対して無駄な力を加えなくてもよい。また、ロック部材３０は、幅木本体１０の外側に設けられているので、作業者は、ロック部材３０によるロック状態を一目で確認することができる。
【００４８】  幅木１を敷設して作業者による作業が終了した後、幅木１を水平材９２から取外すときには、作業者はロック部材３０の折れ曲げ片３７内に指を添え、それを上方に持ち上げることにより、ロック部材３０を係止部材２０の凹部２８から外す。
【００４９】  次いで、係止部材２０に対して水平材９２側に押圧力を加え、係止部材２０を幅木本体１０側に進入させながら支持部材４０を他方の水平材９２から脱着させる。その後、係止部材２０を一方の水平材９２から脱着させる。
【００５０】  このように、上記実施形態によれば、本幅木１を水平材９２間に容易に取り付けたり、取外したりすることができる。この場合、取付け取外しのための工具等は全く不要であり、手軽な操作で幅木１を水平材９２に対して取付けたり取外したりすることができる。
【００５１】  なお、本発明の範囲は上述した実施の形態に限定されるものではなく、発明の範囲を逸脱しない範囲で種々の変更を行うことができる。例えば上記実施形態では、幅木１は枠組足場に取り付けられる場合を示したが、これに限らず、例えばくさび緊結式足場等に取り付けることができる。また、上記実施形態の幅木１は、水平材としての枠組足場の水平材（横架材）に取り付けられる場合について説明したが、これに限らず、くさび緊結式足場のブラケット又は手摺、あるいは単管足場で用いられる腕木材に取り付けられてもよい。また、本実施形態の係止部材２０及びロック部材３０の構成は、Ｉ型の幅木に適用してもよい。
【００５２】  また、例えば上記実施形態に示した幅木本体１０は、その長さが上記したように約１８００ｍｍであることに限らず、種々の長さの幅木本体１０を採用することができる。また、本実施形態では、弾性部材としてばね部材２７が用いられたが、係止部材２０に付勢力を与えるものであれば、これに限るものではない。また、本実施形態では、ロック部材３０と係止部材２０の凹部２８とにより係止部材２０の移動を規制したが、係止部材２０の移動を規制する構成は、これに限るものではない。
【符号の説明】
【００５３】  １    仮設足場用幅木
１０    幅木本体
１１    垂直面部
１２    水平面部
１３    第１ボックス部
１４    第２ボックス部
２０    係止部材
２２    フック部
２４    長孔
２７    ばね部材（弾性部材）
２８    凹部
３０    ロック部材
３６    延設部
３７    折れ曲げ片
４０    支持部材
４１    表側支持部材
４２    裏側支持部材
９２    水平材
【図１】
2012036712.tif 000003
【図２】
2012036712.tif 000004
【図３】
2012036712.tif 000005
【図４】
2012036712.tif 000006
【図５】
2012036712.tif 000007
【図６】
2012036712.tif 000008
【図７】
2012036712.tif 000009
【図８】
2012036712.tif 000010